(57)【要約】      （修正有）【課題】子機の映像撮像部にて撮像された映像を親機の表示部に出画させる際のストロークコマンド動作を容易とする。【解決手段】子機１ａの映像撮像部１２にて撮像された映像を親機２ａの親機表示部２１に出画させるにあたり、親機表示部が有する表示画面２１０のセンサ受光部は、表面センサ２１１として表示画素毎に指で反射される反射光を受光し、表面センサにて検出された位置情報に基づいて親機制御部２２ａが指の動きを解析する。この親機制御部は、解析された指の動きと予め決められているパターンとの一致を検出すると、表示画面に出画させる映像を、パターンに対応して作画した新しい映像で表示する。【選択図】図１
2009182849.tif 000002
【特許請求の範囲】
【請求項１】
来訪者の映像を撮像するための映像撮像部（１２）を備えた子機（１ａ、１ｂ）と、有線の伝送路（Ｌ1）又は無線の伝送路（Ｌ2）を経由して接続される前記子機の前記映像撮像部にて撮像された前記映像を当該映像の画素毎に発光して出画するための表示画面（２１０）を有する親機表示部（２１）を備えた親機（２ａ、２ｂ）とを設け、
前記親機の前記親機表示部が有する前記表示画面は、前記来訪者の映像の一部分を表示するものであって、当該表示画面には、指の位置情報を検出するためのタッチパネル等の表面センサ（２１１）を設け、
前記親機には、前記表面センサにて検出された位置情報に基づいて前記指の動きを解析し、予め決められているパターンと一致したときに、前記表示画面に出画させる映像を前記パターンに対応して作画した新しい映像で表示するための親機制御部（２２ａ、２２ｂ）を備えることを特徴とするインターホン装置。
【請求項２】
前記親機の前記親機表示部が有する前記表示画面には、表示画素毎に発光する光（Ｒ、Ｇ、Ｂ）が前記指で反射され、前記反射された光を受光するためのセンサ受光部（２１０ｂ）を前記表面センサとして当該表示画素毎に備えることを特徴とする請求項１記載のインターホン装置。
【請求項３】
前記子機には、当該子機の操作方法を案内するガイダンスを表示するための子機表示画面（１７０）を有する子機表示部（１７）を備え、
前記子機の前記子機表示部が有する前記表示画面は、前記映像撮像部にて撮像された映像を当該映像の画素毎に発光して出画するものであって、当該表示画面には、指の指紋情報又は手の静脈情報を検出するためのタッチパネル等の表面センサ（１７１）を設け、
前記子機には、前記表面センサにて検出された指紋情報又は静脈情報に基づいて前記指の指紋又は手の平の静脈を解析し、予め登録されている認証パターンと一致したときに前記親機の前記親機制御部を制御し、玄関戸の電気錠（３）を解錠させるための子機制御部（１５ｂ）を備えることを特徴とする請求項１又は請求項２記載のインターホン装置。
【請求項４】
前記子機の前記子機表示部が有する前記表示画面には、表示画素毎に発光する光（Ｒ、Ｇ、Ｂ）が前記指又は前記手の平で反射され、前記反射された光を受光するためのセンサ受光部（１７０ｂ）を前記表面センサとして当該表示画素毎に備えることを特徴とする請求項３記載のインターホン装置。
【発明の詳細な説明】
【技術分野】
【０００１】
本発明は、子機の映像撮像部にて撮像された映像を親機の表示部に出画させるとともに、子機にて呼出操作を行う人物の認証が可能なインターホン装置に係り、特に、親機の表示部に出画させる映像の出画フォーマットの変更操作及び人物認証のための認証操作の利便性を高めたインターホン装置に関する。
【背景技術】
【０００２】
従来から、マンション等の集合住宅の各住戸内に設置される居室親機として、各種の機能設定等を、モニタに表示される操作案内情報に従って操作し得る当該居室親機を備えた集合住宅インターホンシステムが開示されている（例えば、特許文献１を参照。）。
【０００３】
この集合住宅インターホンシステムによれば、モニタに表示されている操作案内情報に対応する操作ボタンを操作するのみで居室親機の機能設定を容易にかつ効率よく設定できるとともに操作ミスを防止することもできる。
【０００４】
【特許文献１】特開２００３−２２４６７０号公報
【発明の開示】
【発明が解決しようとする課題】
【０００５】
背景技術に記載した特許文献１の集合住宅インターホンシステムによれば、居室親機が有する各種の機能毎、操作案内情報に対応した操作ボタンがモニタに表示されるように、近年、多種・多様な機能が備えられる居室親機に適用するにあたっては、操作ボタンの数をある程度減らすことができ製造コストの低下に繋がる効果があり、さらにはタッチパネルを表示画面上に配置し、透過してくる操作画面に対してタッチパネルに触れることにより、タッチパネル以外の設定ボタンを無くすこともできる。
【０００６】
しかしながら、集合玄関機のカメラにて撮像された映像のズーム表示機能、ワイド表示機能等を有する居室親機を適用するにあたっては、表示エリアを移動又は回転したり表示画面をズームしたりする際、ユニバーサルデザインの観点から指を滑らすような繊細なストロークコマンド動作に対応する必要があり、背景技術に記載した特許文献１の集合住宅インターホンシステムにおいては、このストロークコマンド動作に対応できなかった。
【０００７】
また、居室親機が有する各種の機能として、集合玄関機にて呼出操作を行う人物が居住者であるか否かを判別する防犯・セキュリティ上の観点から例えば、バイオメトリックのとして、指紋認証又は手の平の静脈認証の認証機能が必要とされるものの、背景技術に記載した特許文献１の集合住宅インターホンシステムにおいては、この機能が何ら備えられておらず当該機能を追加するにあたってはコストが増大となる難点があった。
【０００８】
本発明は、これらの難点を解消するためになされたもので、子機の映像撮像部にて撮像された映像を親機の表示部に出画させる際のストロークコマンド動作を容易とし、さらには簡素かつ安価な構成で人物の認証操作及び電気錠の解錠を行うことがきるインターホン装置を提供することを目的としている。
【課題を解決するための手段】
【０００９】
前述の目的を達成するため、本発明の第１の態様であるインターホン装置は、来訪者の映像を撮像するための映像撮像部を備えた子機と、有線の伝送路又は無線の伝送路を経由して接続される子機の映像撮像部にて撮像された映像を当該映像の画素毎に発光して出画するための表示画面を有する親機表示部を備えた親機とを設けている。親機の親機表示部が有する表示画面は、来訪者の映像の一部分を表示するものであって、当該表示画面には、指の位置情報を検出するためのタッチパネル等の表面センサを設けている。親機には、表面センサにて検出された位置情報に基づいて指の動きを解析し、予め決められているパターンと一致したときに、表示画面に出画させる映像をパターンに対応して作画した新しい映像で表示するための親機制御部を備えている。
【００１０】
また、本発明の第２の態様であるインターホン装置は、本発明の第１の態様において、親機の親機表示部が有する表示画面には、表示画素毎に発光する光が指で反射され、反射された光を受光するためのセンサ受光部を表面センサとして当該表示画素毎に備えている。
【００１１】
また、本発明の第３の態様であるインターホン装置は、本発明の第１の態様又は第２の態様において、子機には、当該子機の操作方法を案内するガイダンスを表示するための子機表示画面を有する子機表示部を備えている。子機の子機表示部が有する表示画面は、映像撮像部にて撮像された映像を当該映像の画素毎に発光して出画するものであって、当該表示画面には、指の指紋情報又は手の静脈情報を検出するためのタッチパネル等の表面センサを設けている。子機には、表面センサにて検出された指紋情報又は静脈情報に基づいて指の指紋又は手の平の静脈を解析し、予め登録されている認証パターンと一致したときに親機の親機制御部を制御し、玄関戸の電気錠を解錠させるための子機制御部を備えている。
【００１２】
また、本発明の第４の態様であるインターホン装置は、本発明の第３の態様において、子機の子機表示部が有する表示画面には、表示画素毎に発光する光が指又は手の平で反射され、反射された光を受光するためのセンサ受光部を表面センサとして当該表示画素毎に備えている。
【発明の効果】
【００１３】
本発明のインターホン装置によれば、子機の映像撮像部にて撮像された映像を親機の親機表示部に出画させるにあたり、親機表示部が有する表示画面のセンサ受光部が表面センサとして表示画素毎に発光する光に対して、指で反射される反射光を受光し、表面センサにて検出された位置情報に基づいて親機制御部が指の動きを解析することができる。この親機制御部は、解析された指の動きと予め決められているパターンとの一致を検出すると、表示画面に出画させる映像を、パターンに対応して作画した新しい映像で表示することができる。これにより、親機表示部の表示画面に出画させる映像の出画フォーマットの変更操作として、指を滑らすような繊細なストロークコマンド動作に対応可能となる。
【００１４】
また、本発明のインターホン装置によれば、子機の映像撮像部にて撮像された映像を子機表示部に出画させるにあたり、子機表示部が有する表示画面のセンサ受光部が表面センサとして表示画素毎に発光する光に対して、指又は手の平で反射される反射光を受光し、表面センサにて検出された指紋情報又は静脈情報に基づいて子機制御部が指の指紋又は手の平の静脈を解析することができる。この子機制御部は、解析された指紋情報又は静脈情報と予め登録されている認証パターンとの一致を検出すると、親機の親機制御部を制御して玄関戸の電気錠を解錠させることができる。これにより、呼出操作をもとに人物認証のための認証を簡素かつ安価な構成で行い、玄関戸の電気錠を解錠させることができる。
【発明を実施するための最良の形態】
【００１５】
以下、本発明のインターホン装置を適用した最良の実施の形態例について、図面を参照して説明する。
【００１６】
図１は、本発明の第１の実施例によるインターホン装置の具体的な構成を示すブロック図である。このインターホン装置は、住戸玄関等の住戸外に設置され、来訪者が住戸内に在室中の居住者を呼び出して通話を成立させるための呼出・通話機能及び来訪者の映像（住戸外の周囲近傍の映像を含む。）を撮像するための映像撮像機能を有する子機１ａと、住戸内に設置され、有線の伝送路Ｌ1又は無線の伝送路Ｌ2を経由して接続される子機１ａからの呼び出しを報知し、当該呼び出しに応答した居住者が来訪者との間で通話を成立させるための呼出報知・通話機能及び子機１ａが有する映像撮像機能により撮像された映像を出画するための映像出画機能を有する親機２ａとが設けられている。
【００１７】
また、子機１ａには、子機操作部１０、子機通話部１１、映像撮像部１２、ＤＳＰ（Digital Signal Processor）１３、記憶部１４、子機制御部１５ａ及び子機Ｉ／Ｆ（インターフェース）１６が備えられている。
【００１８】
この子機１ａにおいて、子機操作部１０は、子機制御部１５ａによって操作検出され、来訪者が居住者を呼び出すために操作するものであり、呼出ボタン１００で構成されている。
【００１９】
子機通話部１１は、子機制御部１５ａによって制御され、来訪者が居住者との間で通話を成立させるための音声（送話音声、受話音声）を入出力するものであり、送話音声が入力される子機マイク１１０と、受話音声が出力される子機スピーカ１１１と、子機マイク１１０及び子機スピーカ１１１にて入出力される音声（送話音声、受話音声）をアナログ／デジタル変換、又はデジタル／アナログ変換するための子機音声処理部１１２とで構成されている。
【００２０】
映像撮像部１２は、子機制御部１５ａによって制御され、呼出操作を行った来訪者の映像（住戸外の周囲近傍の映像を含む。）を撮像するためのものであり、１８０度近く広範囲の撮像を可能にする例えば、魚眼レンズのような超広角のレンズ１２０と、レンズ１２０に集光された光を電気信号に変換し、高品質のデジタル映像信号を生成するためのセンサ１２１とで構成されている。
【００２１】
ＤＳＰ１３は、子機制御部１５ａによって制御され、子機通話部１１を構成する子機音声処理部１１２にてアナログ／デジタル変換されたデジタル音声信号、又は子機音声処理部１１２にてデジタル／アナログ変換させる親機２ａからのデジタル音声信号や、映像撮像部１２を構成するセンサ１２１にて生成されたデジタル映像信号について所定のデジタル処理を行うためのものである。
【００２２】
記憶部１４は、子機制御部１５ａによって制御され、映像撮像部１２を構成するセンサ１２０にて生成されＤＳＰ１３を経由してデジタル処理されたデジタル映像信号を、時系列でフレーム毎のように所定のフォーマットで保存（一時保存）するためのものであり、例えば、ＲＡＭ、ＥＥＰＲＯＭ等の各種の記憶・保存媒体で構成されている。
【００２３】
子機制御部１５ａは、子機１ａの構成各部を制御するためのものである。具体的な制御として子機制御部１５ａは、来訪者による子機操作部１０を構成する呼出ボタン１００の操作を検出して呼出信号を生成するとともに、映像撮像部１２、ＤＳＰ１３及び記憶部１４がそれぞれ能動となるように制御することができる。また、子機制御部１５ａは、記憶部１４に予め保存（一時保存）されているデジタル映像信号を読み出してＤＳＰ１３に送出することができる。さらに、子機制御部１５ａは、居住者による後述の応答操作を検出して子機通話部１１が能動となるように制御することができる。なお、ＤＳＰ１３は、子機制御部１５ａと一体で設けることもでき、この態様によれば、当該子機の回路構成の簡素化が可能となる。
【００２４】
子機Ｉ／Ｆ１６は、ＤＳＰ１３及び有線の伝送路Ｌ1間の信号伝送ライン、或いはＤＳＰ１３及び無線の伝送路Ｌ2間の信号伝送ラインと、子機制御部１５ａ及び有線の伝送路Ｌ1間の信号伝送ライン、或いは子機制御部１５ａ及び無線の伝送路Ｌ2間の信号伝送ラインとをそれぞれ形成するためのものである。
【００２５】
さらに、親機２ａには、親機通話部２０、親機表示部２１、親機制御部２２ａ及び親機Ｉ／Ｆ２３が備えられている。
【００２６】
この親機２ａにおいて、親機通話部２０は、親機制御部２２ａによって制御され、居住者が来訪者との間で通話を成立させるための音声（送話音声、受話音声）を入出力するものであり、例えば、送話音声が入力される親機マイク２００と、受話音声が出力される親機スピーカ２０１と、親機マイク２００及び親機スピーカ２０１にて入出力される音声（送話音声、受話音声）をアナログ／デジタル変換、又はデジタル／アナログ変換するための親機音声処理部２０２とで構成されている。なお、親機スピーカ２０１は、前述の通話機能のみならず、来訪者からの呼び出しがある旨の呼出音や音声メッセージ等を出力するための呼出報知機能を備えている。
【００２７】
親機表示部２１は、親機制御部２２ａによって制御され、子機１ａの映像撮像部１２にて撮像された映像を当該映像の画素毎に発光して出画するための表示画面２１０を有しており、例えば、フラットパネルで構成されている。この表示画面２１０には、来訪者の映像（住戸外の周囲近傍の映像を含む。）の一部分を表示するものであって、居住者の指の位置情報を検出するためのタッチパネル等の表面センサ２１１が設けられている。なお、表示画面２１０には、当該表示画面に出画させる映像を拡大するためのズームボタンＡ及び同様に出画させる映像をワイド表示するためのワイドボタンＢや、来訪者からの呼び出しに居住者が応答して通話を成立させる、或いは成立中の通話を終了させるための通話ボタンＣをそれぞれ表示させることができ、これらのボタン操作は、表面センサ２１１にて検出され、親機制御部２２ａに通知されるものである。
【００２８】
また、親機表示部２１が有する表示画面２１０は、図３（Ａ）の説明図に示すように、表面センサ２１１として表示画素毎に光（Ｒ、Ｇ、Ｂ）を発光するための当該表示画素毎のカラーフィルタ２１０ａ（Ｒ）、２１０ａ（Ｇ）、２１０ａ（Ｂ）と、表示画素毎にカラーフィルタ２１０ａ（Ｒ）、２１０ａ（Ｇ）、２１０ａ（Ｂ）を経由して発光される光（Ｒ、Ｇ、Ｂ）に対して、居住者の指により反射される反射光を受光するための当該表示画素毎のセンサ受光部２１０ｂと、表示画素を駆動させるための表示用ソースドライバ２１０ｃ及び表示用ゲートドライバ２１０ｄと、センサ受光部２１０ｂを駆動させるためのセンサ用ソースドライバ２１０ｅ及びセンサ用ゲートドライバ２１０ｆとで構成されている。
【００２９】
親機制御部２２ａは、親機２ａの構成各部を制御するためのものである。具体的な制御として親機制御部２２ａは、来訪者による前述の呼出操作を検出して親機通話部２０を構成する親機スピーカ２０１にて呼出報知を行うとともに、親機表示部２１が能動となるように制御して表示画面２１０にて呼出報知を行うことができる。また、親機制御部２２ａは、居住者による前述の応答操作を検出して親機通話部２０が能動となるように制御することができる。また、親機制御部２２ａは、親機表示部２１が有する表示画面２１０の表面センサ２１１にて検出される位置情報に基づいて居住者の指の動きを解析し、予め決められているパターンと一致したときに、表示画面２１０に出画させる映像を、パターンに対応して作画した新しい映像で表示することができる。なお、親機制御部２２ａにて照合されるパターンは、当該親機制御部に保存させる態様や、図示しない記憶部に保存させる態様も好適とされる。
【００３０】
親機Ｉ／Ｆ２３は、親機通話部２０及び有線の伝送路Ｌ1間の信号伝送ライン、或いは親機通話部２０及び無線の伝送路Ｌ2間の信号伝送ラインと、有線の伝送路Ｌ1又は無線の伝送路Ｌ2から親機表示部２１への信号伝送ラインと、親機制御部２２ａ及び有線の伝送路Ｌ1間の信号伝送ライン、或いは親機制御部２２ａ及び無線の伝送路Ｌ2間の信号伝送ラインとをそれぞれ形成するためのものである。
【００３１】
このように構成された本発明の第１の実施例によるインターホン装置において、以下、具体的な動作について説明する。
【００３２】
図１に示す親機２ａが設置された住戸内に在室中の居住者を呼び出すにあたり、住戸外に居る来訪者が子機１ａの子機操作部１０を構成する呼出ボタン１００にて所定の呼出操作を行うと、この操作を検出した子機制御部１５ａは、呼出信号を生成し、子機Ｉ／Ｆ１６、有線の伝送路Ｌ1又は無線の伝送路Ｌ2、親機２ａの親機Ｉ／Ｆ２３を経由して親機制御部２２ａに送出するとともに、映像撮像部１２、ＤＳＰ１３及び記憶部１４がそれぞれ能動となるように制御する。ここで、映像撮像部１２を構成するセンサ１２１は、超広角のレンズ１２０に集光された光を電気信号に変換し、呼出操作を行った来訪者の映像（住戸外の周囲近傍の映像を含む。）である高品質のデジタル映像信号を生成してＤＳＰ１３に送出する。また、ＤＳＰ１３は、受信したデジタル映像信号をデジタル処理し、子機Ｉ／Ｆ１６、有線の伝送路Ｌ1又は無線の伝送路Ｌ2、親機２ａの親機Ｉ／Ｆ２３を経由して親機表示部２１に送出するとともに、時系列でフレーム毎のように所定のフォーマットで記憶部１４に保存（一時保存）することができる。
【００３３】
親機２ａの親機制御部２２ａは、有線の伝送路Ｌ1又は無線の伝送路Ｌ2を経由して接続される子機１ａから伝送されてきた呼出信号を受信すると、来訪者による子機１ａからの呼び出しがある旨の呼出音や音声メッセージ等を、親機通話部２０を構成する親機スピーカ２０１から出力させて呼出報知を行うとともに、親機表示部２１が能動となるように制御し、子機１ａの映像撮像部１２にて撮像された映像、すなわち、呼出操作を行った来訪者の映像（住戸外の周囲近傍の映像を含む。）を表示画面２１０に全画面表示させることができる。なお、表示画面２１０には、親機制御部２２ａの制御により、前述のズームボタンＡ、ワイドボタンＢ及び通話ボタンＣのみならず、来訪者による子機１ａからの呼び出しがある旨の呼出メッセージや絵データ等を表示させることもできる。
【００３４】
この後、親機２ａの親機表示部２１を構成する表示画面２１０に全画面表示されている映像を確認した居住者にとって、特定の部位、例えば、来訪者の識別をより正確なものとする顔部の映像を拡大表示するにあたり、表面センサ２１１を経由して顔部を指で触れ、その後、ズームボタンＡに触れたとき、表面センサ２１１は、図３（Ａ）に示すように、表示画素毎のセンサ受光部２１０ｂを備えているため、表示画面２１０から発光される光が指で反射され、その反射光を表示画素毎のセンサ受光部２１０ｂが受光し、センサ用ソースドライバ２１０ｅ及びセンサ用ゲートドライバ２１０ｆにて指の位置情報とともに光信号が読み出される機能を有している。この機能により、指の位置情報を光信号とともに検出した親機制御部２２ａは、拡大表示すべき顔部に該当するデジタル映像信号を、子機１ａの子機制御部１５ａの制御により記憶部１４から読み出させた後、来訪者の映像（住戸外の周囲近傍の映像を含む。）が全画面表示されている表示画面２１０に例えば、マルチウィンドウで拡大表示することができる。
【００３５】
また、居住者は、親機２ａの親機表示部２１を構成する表示画面２１０に例えば、マルチウィンドウで拡大表示されている来訪者の顔部の映像を、図４（Ａ）の説明図に示すように所定の画面位置に移動させる、又は図４（Ｂ）の説明図に示すように所定の角度、ここでは、中心から右方向に９０度回転させるにあたって、表面センサ２１１を経由して拡大表示された画面（図中に「Ｆ」で示す。）を指で触れ所定の画面位置まで移動させる、或いは中心から右方向に９０度回転させるとき、表面センサ２１１は、図３（Ａ）に示すように、表示画素毎のセンサ受光部２１０ｂを備えているため、表示画面２１０から発光される光が指で反射され、その反射光を表示画素毎のセンサ受光部２１０ｂが受光し、センサ用ソースドライバ２１０ｅ及びセンサ用ゲートドライバ２１０ｆにて指の位置情報とともに光信号が読み出される機能を有している。この機能により、移動又は回転に伴う指の位置情報を光信号とともに検出した親機制御部２２ａは、親機制御部２２ａは、検出された位置情報に基づいて居住者の指の動きを解析し、予め決められているパターンと一致したときに、一致したパターンに対応した新しい映像を作画して表示画面２１０に表示することができる。
【００３６】
なお、前述までの説明によれば、親機２ａの親機表示部２１を構成する表示画面２１０に来訪者の映像（住戸外の周囲近傍の映像を含む。）が全画面表示されている状態において、特定の部位である来訪者の顔部の映像を拡大表示させ、その後、所定の画面位置に移動する、或いは所定の角度（中心から右方向に９０度）回転させる動作について説明したが、この動作に限定されるものではない。例えば、特定の部位である来訪者の顔部の映像をワイド表示させるにあたり、表面センサ２１１を経由して顔部を指で触れ、その後、ワードボタンＢに触れる動作と、このワイド表示後、所定の画面位置に移動する、或いは所定の角度回転させる動作も行うこともできる。これにより、表示画面２１０に出画させる映像の出画フォーマットの変更操作として、指を滑らすような繊細なストロークコマンド動作に対応可能となる。
【００３７】
次に、親機２ａの親機表示部２１を構成する表示画面２１０に来訪者の映像（住戸外の周囲近傍の映像を含む。）が全画面表示されている場合や、表示画面２１０に来訪者の顔部の映像が拡大表示又はワイド表示されている場合において、この映像を確認した居住者が応答して来訪者との間で通話を成立させるにあたり、表示画面２１０に表示されている通話ボタン２１０ｃを、表面センサ２１１を経由して指で触れたとき、表面センサ２１１は、図３（Ａ）に示すように、表示画素毎のセンサ受光部２１０ｂを備えているため、表示画面２１０から発光される光が指で反射され、その反射光を表示画素毎のセンサ受光部２１０ｂが受光し、センサ用ソースドライバ２１０ｅ及びセンサ用ゲートドライバ２１０ｆにて指の位置情報とともに光信号が読み出される機能を有している。この機能により、指の位置情報を光信号とともに検出した親機制御部２２ａは、親機通話部２０が能動となるように制御するとともに、親機Ｉ／Ｆ２３、有線の伝送路Ｌ1又は無線の伝送路Ｌ2、子機１ａの子機Ｉ／Ｆ１６を経由して子機制御部１５ａに応答信号を送出することができる。この応答信号を検出した子機制御部１５ａは、子機通話部１１が能動となるように制御するため、居住者が使用する親機通話部２０を構成する親機マイク２００及び親機スピーカ２０１と、親機音声処理部２０２、親機Ｉ／Ｆ２３、有線の伝送路Ｌ1又は無線の伝送路Ｌ2、（子機１ａの）子機Ｉ／Ｆ１６、ＤＳＰ１３、子機通話部１１を構成する子機音声処理部１１２を経由して来訪者が使用する子機マイク１１０及び子機スピーカ１１１との間の信号伝送ライン、すなわち、通話ラインが形成され、形成された通話ラインを経由して音声信号を送受信させることで通話が成立する。
【００３８】
また、前述のように成立中の通話動作を終了させるにあたり、居住者が親機２ａの親機表示部２１を構成する表示画面２１０に表示されている通話ボタン２１０ｃを、表面センサ２１１を経由して指で触れたとき、表面センサ２１１は、図３（Ａ）に示すように、表示画素毎のセンサ受光部２１０ｂを備えているため、表示画面２１０から発光される光が指で反射され、その反射光を表示画素毎のセンサ受光部２１０ｂが受光し、センサ用ソースドライバ２１０ｅ及びセンサ用ゲートドライバ２１０ｆにて指の位置情報とともに光信号が読み出される機能を有している。この機能により、指の位置情報を光信号とともに検出した親機制御部２２ａは、親機通話部２００が非能動となるように制御するとともに、前述の応答信号と同一の信号伝送ラインを経由して子機１ａの子機制御部１５ａに終話信号を送出することができる。この終話信号を検出した子機制御部１５ａは、子機通話部１１が非能動となるように制御するため、前述の通話ラインが遮断されて通話が終了する。
【００３９】
次に、本発明のインターホン装置を適用した最良の実施の形態例として、前述の第１の実施例と別途の実施例について、以下、本発明の第２の実施例によるインターホン装置として図面を参照して説明する。なお、第２の実施例において、第１の実施例と同一の作用・効果を有する構成部については、同一の名称及び符号を付加するのみで説明は省略するものとする。
【００４０】
図２は、本発明の第２の実施例によるインターホン装置の具体的な構成を示すブロック図である。このインターホン装置は、住戸玄関等の住戸外に設置され、来訪者が住戸内に在室中の居住者を呼び出して通話を成立させるための呼出・通話機能及び来訪者の映像（住戸外の周囲近傍の映像を含む。）を撮像するための映像撮像機能を有する子機１ｂと、玄関戸を施解錠するための電気錠３と、住戸内に設置され、有線の伝送路Ｌ1又は無線の伝送路Ｌ2を経由して接続される子機１ｂからの呼び出しを報知し、当該呼び出しに応答した居住者が来訪者との間で通話を成立させるための呼出報知・通話機能及び子機１ｂが有する映像撮像機能により撮像された映像を出画するための映像出画機能、伝送路（以下、電気錠伝送路という。）Ｌ3を経由して接続される電気錠３を制御するための電気錠制御機能を有する親機２ｂとが設けられている。
【００４１】
また、子機１ｂには、子機通話部１１、映像撮像部１２、ＤＳＰ１３、記憶部１４、子機制御部１５ｂ、子機Ｉ／Ｆ１６及び子機表示部１７が備えられている。
【００４２】
この子機１ｂにおいて、子機表示部１７は、当該子機の操作方法を案内するガイダンスＤを表示するとともに、映像撮像部１２にて撮像された映像を当該映像の画素毎に発光して出画するための表示画面１７０を有しており、例えば、フラットパネルで構成されている。この表示画面１７０には、当該子機にて呼出操作を行う人物、例えば、来訪者や帰宅時における居住者の指の指紋情報又は手の静脈情報を検出するためのタッチパネル等の表面センサ１７１が設けられている。なお、表示画面１７０に表示されるガイダンスＤには、通常、来訪者や帰宅時における居住者が住戸内に在室中の呼び出すために操作する呼出ボタンも併記されている。
【００４３】
また、子機表示部１７が有する表示画面１７０は、図３（Ｂ）の説明図に示すように、表面センサ１７１として表示画素毎に光（Ｒ、Ｇ、Ｂ）を発光するための当該表示画素毎のカラーフィルタ１７０ａ（Ｒ）、１７０ａ（Ｇ）、１７０ａ（Ｂ）と、表示画素毎にカラーフィルタ１７０ａ（Ｒ）、１７０ａ（Ｇ）、１７０ａ（Ｂ）を経由して発光される光（Ｒ、Ｇ、Ｂ）に対して、来訪者又は居住者の指、或いは手の平により反射される反射光を受光するための当該表示画素毎のセンサ受光部１７０ｂと、表示画素を駆動させるための表示用ソースドライバ１７０ｃ及び表示用ゲートドライバ１７０ｄと、センサ受光部１７０ｂを駆動させるためのセンサ用ソースドライバ１７０ｅ及びセンサ用ゲートドライバ１７０ｆとで構成されている。
【００４４】
子機制御部１５ｂは、子機１ｂの構成各部を制御するためのものである。具体的な制御として子機制御部１５ｂは、前述の第１の実施例と同様の制御機能のみならず、当該子機の操作方法を案内するガイダンスＤや映像撮像部１２にて撮像された映像を、子機表示部１７を構成する表示画面１７０に表示させることができる。また、子機制御部１５ｂは、子機表示部１７を構成する表面センサ１７１にて検出された指紋情報又は静脈情報に基づいて指の指紋又は手の平の静脈を解析し、予め登録されている認証パターンと一致したときに親機２ｂの後述する親機制御部２２ｂを制御し、玄関戸の電気錠３を解錠させることができる。
【００４５】
さらに、親機２ｂには、親機通話部２０、親機表示部２１、親機制御部２２ｂ、親機Ｉ／Ｆ（以下、子機側親機Ｉ／Ｆという。）２３及び電気錠側親機Ｉ／Ｆ２４が備えられている。
【００４６】
この親機２ｂにおいて、親機制御部２２ｂは、前述の第１の実施例と同様の制御機能のみならず、子機１ｂの子機制御部１５ｂからの制御をもとに玄関戸の電気錠３を解錠させることができる。
【００４７】
また、電気錠側親機Ｉ／Ｆ２４は、親機制御部２２ｂ及び電気錠伝送路Ｌ3間の信号伝送ラインを形成するためのものである。
【００４８】
このように構成された本発明の第２の実施例によるインターホン装置において、以下、具体的な動作について説明する。
【００４９】
図２に示す親機２ｂが設置された住戸内に在室中の居住者を呼び出すにあたり、住戸外に居る人物、例えば、来訪者や帰宅時における居住者は、子機１ｂの子機制御部１５ｂの制御により子機表示部１７を構成する表示画面１７０に予め表示されているガイダンスＤを参照し、ガイダンスＤに併記されている呼出ボタンを表面センサ１７１を経由して指で触れたとき、表面センサ１７１は、図３（Ｂ）に示すように、表示画素毎のセンサ受光部１７０ｂを備えているため、表示画面１７０から発光される光が指で反射され、その反射光を表示画素毎のセンサ受光部１７０ｂが受光し、センサ用ソースドライバ１７０ｅ及びセンサ用ゲートドライバ１７０ｆにて指の位置情報とともに光信号が読み出される機能を有している。この機能により、指の位置情報を光信号とともに検出した子機制御部１５ｂは、呼出信号を生成し、子機Ｉ／Ｆ１６、有線の伝送路Ｌ1又は無線の伝送路Ｌ2、親機２ｂの子機側親機Ｉ／Ｆ２３を経由して親機制御部２２ｂに送出するとともに、表面センサ１７１にて検出された指紋情報又は静脈情報に基づいて指の指紋又は手の平の静脈を解析し、予め登録されている認証パターンとの照合を行い、一致した場合には、玄関戸の電気錠３を解錠させるための制御信号を生成し、前述の呼出信号と同一の信号伝送ラインを経由して親機制御部２２ｂに送出することができる。
【００５０】
また、子機１ｂの子機制御部１５ｂは、映像撮像部１２、ＤＳＰ１３及び記憶部１４がそれぞれ能動となるように制御する。ここで、映像撮像部１２を構成するセンサ１２１は、超広角のレンズ１２０に集光された光を電気信号に変換し、呼出操作を行った来訪者又は帰宅時における居住者の映像（住戸外の周囲近傍の映像を含む。）である高品質のデジタル映像信号を生成してＤＳＰ１３に送出する。また、ＤＳＰ１３は、受信したデジタル映像信号をデジタル処理し、子機表示部１７を構成する表示画面１７０に全画面表示させるとともに、子機Ｉ／Ｆ１６、有線の伝送路Ｌ1又は無線の伝送路Ｌ2、親機２ｂの子機側親機Ｉ／Ｆ２３を経由して親機表示部２１に送出し、さらには時系列でフレーム毎のように所定のフォーマットで記憶部１４に保存（一時保存）することができる。ここで、子機表示部１７を構成する表示画面１７０に全画面表示された映像は、呼出操作を行った来訪者又は帰宅時における居住者の映像（住戸外の周囲近傍の映像を含む。）であるため、これらの人物は、身だしなみのチェックや自己の背後に不審者や危険人物等が居るか否かを容易に確認することができ、防犯・セキュリティが高められる。
【００５１】
親機２ｂの親機制御部２２ｂは、有線の伝送路Ｌ1又は無線の伝送路Ｌ2を経由して接続される子機１ｂから伝送されてきた呼出信号を受信すると、来訪者又は帰宅時における居住者による子機１ｂからの呼び出しがある旨の呼出音や音声メッセージ等を、親機通話部２０を構成する親機スピーカ２０１から出力させて呼出報知を行うとともに、親機表示部２１が能動となるように制御し、子機１ｂの映像撮像部１２にて撮像された映像、すなわち、呼出操作を行った来訪者又は帰宅時における居住者の映像（住戸外の周囲近傍の映像を含む。）を表示画面２１０に全画面表示させることができる。なお、表示画面２１０には、親機制御部２２ｂの制御により、前述のズームボタンＡ、ワイドボタンＢ及び通話ボタンＣのみならず、来訪者又は帰宅時における居住者による子機１ｂからの呼び出しがある旨の呼出メッセージや絵データ等を表示させることもできる。
【００５２】
また、親機２ｂの親機制御部２２ｂは、有線の伝送路Ｌ1又は無線の伝送路Ｌ2を経由して接続される子機１ｂから伝送されてきた制御信号を受信すると、呼出操作を行った人物が帰宅時における居住者であることを検出し、玄関戸の電気錠３を解錠させるための解錠信号を生成する。この解錠信号は、親機制御部２２ｂから電気錠側親機Ｉ／Ｆ２４、電気錠伝送路Ｌ3を経由して電気錠３に伝送され当該電気錠を解錠させるため、帰宅時における居住者は、玄関戸を開けて住戸内に帰宅することができる。これにより、呼出操作をもとに人物認証のための認証を簡素かつ安価な構成で行うことができ、玄関戸の電気錠３が解錠されることになる。
【００５３】
なお、本発明の第２の実施例において、親機２ｂの親機表示部２１を構成する表示画面２１０に全画面表示されている映像を確認した居住者にとって、特定の部位である来訪者の顔部の映像を拡大表示又はワイド表示させ、その後、所定の画面位置に移動する、或いは所定の角度回転させる動作や、居住者が応答して来訪者との間で通話を成立させる動作及び当該通話を終了させる動作はそれぞれ、前述の第１の実施例と同様あるため、説明は省略するものとする。
【００５４】
また、本発明の第２の実施例においては、来訪者や帰宅時における居住者の人物認証を行うにあたり、子機１ｂの子機表示部１７を構成する表面センサ１７１にて検出された指紋情報又は静脈情報に基づいて指の指紋又は手の平の静脈を解析し、予め登録されている認証パターンとの照合を子機制御部１５ｂにて行う態様について説明したが、この態様に限定されるものではない。例えば、来訪者や帰宅時における居住者により携行される名刺やＩＤカード等に予め付加されている人物認証のためのＩＤデータを表面センサ１７１にて検出・解析させ、予め登録されている認証パターンとの照合を子機制御部１５ｂにて行う態様であってもよい。
【００５５】
最後に、本発明のインターホン装置においては、特定の実施の形態をもって説明してきたが、この形態に限定されるものでなく、本発明の効果を奏する限り、これまで知られた如何なる構成のインターホン装置であっても採用できるということはいうまでもないことである。
【図面の簡単な説明】
【００５６】
【図１】図１は、本発明の第１の実施例によるインターホン装置の具体的な構成を示すブロック図である。
【図２】図２は、本発明の第２の実施例によるインターホン装置の具体的な構成を示すブロック図である。
【図３】図３（Ａ）は、本発明の第１、第２の各実施例によるインターホン装置において、親機の親機表示部を構成する表示画面の説明図である。また、図３（Ｂ）は、本発明の第２の実施例によるインターホン装置において、子機の子機表示部を構成する表示画面の説明図である。
【図４】図４（Ａ）、（Ｂ）はそれぞれ、本発明の第１、第２の各実施例によるインターホン装置において、親機の親機表示部を構成する表面センサを使用したストロークコマンド動作の操作例を示す説明図である。
【符号の説明】
【００５７】
１ａ、１ｂ……子機
１２……映像撮像部
１５ａ、１５ｂ……子機制御部
１７……子機表示部
１７０……表面画面
１７０ｂ……（表示画素毎の）センサ受光部
１７１……表面センサ
２ａ、２ｂ……親機
２１……親機表示部
２１０……表面画面
２１０ｂ……（表示画素毎の）センサ受光部
２１１……表面センサ
２２ａ、２２ｂ……親機制御部
３……電気錠
Ｒ、Ｇ、Ｂ……光（カラーフィルタにて発光される光）
Ｌ1……有線の伝送路
Ｌ2……無線の伝送路
【図１】
2009182849.tif 000003
【図２】
2009182849.tif 000004
【図３】
2009182849.tif 000005
【図４】
2009182849.tif 000006